(57)【要約】      （修正有）【課題】折り畳んだ状態においてもソファーとして有効に活用することができる折り畳み式ベッドを提供する。【解決手段】折り畳み式ベッド１は、第２クッション体４の幅方向両側端の下面をそれぞれ支持する一対の第２フレーム８と、第１クッション体３の少なくとも幅方向両側端の下面に固定された第１フレーム７と、第３クッション体５の少なくとも幅方向両側端の下面に固定された第３フレーム９とを含み、第１フレーム７の第１延長部および第３フレーム９の第３延長部が第２フレーム８に回動可能に取り付けられている。第１フレーム７を回転軸Ｒ１まわりに１８０°回動させ、第３フレーム９を回転軸Ｒ３まわりに１８０°回動させることにより、第２クッション体４の下面と第２フレーム８とに囲まれた収容空間１４内に、第１および第３クッション体、並びに第１および第３フレームが収容される。【選択図】図１
0003202153.tif 000002
【実用新案登録請求の範囲】
【請求項１】
パイプ状のフレームと該フレームによって支持されたクッション体とを備えた折り畳み式ベッドであって、
前記クッション体は、長さ方向にこの順で並んだ第１、第２および第３クッション体を含み、
前記フレームは、前記第２クッション体の幅方向両側端の下面をそれぞれ支持する一対の第２フレームと、前記第１クッション体の少なくとも幅方向両側端の下面に固定された第１フレームと、前記第３クッション体の少なくとも幅方向両側端の下面に固定された第３フレームとを含み、
前記第２クッション体は、前記長さ方向に平行な回転軸を有する蝶番を介して前記第２フレームの一方に取り付けられ、
前記第１および第３クッション体、並びに前記第１および第３フレームは、幅方向の寸法が前記一対の第２フレームの前記幅方向における離間距離以下であり、
前記第１フレームは、前記一対の第２フレームの間に向かって延びた第１延長部を有するとともに、前記第１延長部において、前記幅方向に平行な回転軸まわりに回動し得るように取り付けられ、
前記第３フレームは、前記一対の第２フレームの間に向かって延びた第３延長部を有するとともに、前記第３延長部において、前記幅方向に平行な回転軸まわりに回動し得るように取り付けられ、
前記第１フレームを前記第１クッション体とともに１８０°回動させ、前記第３フレームを前記第３クッション体とともに１８０°回動させることにより、前記第２クッション体の下面と前記一対の第２フレームとに囲まれた収容空間内に、前記第１および第３クッション体、並びに前記第１および第３フレームが収容されることを特徴とする折り畳み式ベッド。
【考案の詳細な説明】
【技術分野】
【０００１】
本考案は、パイプ状のフレームと該フレームによって支持されたクッション体とを備えた折り畳み式ベッドに関する。
【背景技術】
【０００２】
従来の折り畳み式ベッドとしては、例えば、特許文献１に記載のものが知られている。この折り畳み式ベッドは、長さ方向の中央部における谷折りを可能とするために、クッション体およびフレームがそれぞれ２分割されている。この折り畳み式ベッドによれば、谷折りによってクッション体およびフレームを起立させる（折り畳む）ことにより、占有床面積を小さくすることができる。
【先行技術文献】
【特許文献】
【０００３】
【特許文献１】登録実用新案第３０２７４９９号公報
【考案の概要】
【考案が解決しようとする課題】
【０００４】
上記従来の折り畳み式ベッドは、折り畳んだ状態においては使い途がないので、使用者は、これを目につかない場所に収納しようとすることが多い。しかしながら、従来の折り畳み式ベッドは、折り畳んだ状態においてもかなりの大きさを有しているので、好適な収納場所を用意するのは困難である。
【０００５】
このような事情に鑑み、本考案は、折り畳んだ状態においても有効に活用することができる折り畳み式ベッドを提供することを課題とする。
【課題を解決するための手段】
【０００６】
上記課題を解決するために、本考案に係る折り畳み式ベッドは、パイプ状のフレームと該フレームによって支持されたクッション体とを備えた折り畳み式ベッドであって、前記クッション体は、長さ方向にこの順で並んだ第１、第２および第３クッション体を含み、前記フレームは、前記第２クッション体の幅方向両側端の下面をそれぞれ支持する一対の第２フレームと、前記第１クッション体の少なくとも幅方向両側端の下面に固定された第１フレームと、前記第３クッション体の少なくとも幅方向両側端の下面に固定された第３フレームとを含み、前記第２クッション体は、前記長さ方向に平行な回転軸を有する蝶番を介して前記第２フレームの一方に取り付けられ、前記第１および第３クッション体、並びに前記第１および第３フレームは、幅方向の寸法が前記一対の第２フレームの前記幅方向における離間距離以下であり、前記第１フレームは、前記一対の第２フレームの間に向かって延びた第１延長部を有するとともに、前記第１延長部において、前記幅方向に平行な軸まわりに回動し得るように取り付けられ、前記第３フレームは、前記一対の第２フレームの間に向かって延びた第３延長部を有するとともに、前記第３延長部において、前記幅方向に平行な軸まわりに回動し得るように取り付けられ、前記第１フレームを前記第１クッション体とともに１８０°回動させ、前記第３フレームを前記第３クッション体とともに１８０°回動させることにより、前記第２クッション体の下面と前記一対の第２フレームとに囲まれた収容空間内に、前記第１および第３クッション体、並びに前記第１および第３フレームが収容されることを特徴とする。
【考案の効果】
【０００７】
本考案によれば、折り畳んだ状態においてもソファーとして有効に活用することができる折り畳み式ベッドを提供することができる。
【図面の簡単な説明】
【０００８】
【図１】本考案に係る折り畳み式ベッドの模式的な斜視図である。
【図２】本考案に係る折り畳み式ベッドの模式的な（Ａ）平面図、および（Ｂ）側面図である。
【図３】本考案に係る折り畳み式ベッドの折り畳み手順を示す図である。
【図４】本考案に係る折り畳み式ベッドの折り畳み手順を示す図である。
【考案を実施するための形態】
【０００９】
以下、添付図面を参照しながら、本考案に係る折り畳み式ベッドの実施例について説明する。ただし、本考案は、実施例の構成に限定されるものではない。
【００１０】
［折り畳み式ベッドの構成］
図１および図２に、本考案の実施例に係る折り畳み式ベッド１を示す。折り畳み式ベッド１は、パイプ状の部材からなるフレーム６と、該フレーム６によって支持されたクッション体２とを備えている。
【００１１】
クッション体２は、第１クッション体３と、第２クッション体４と、第３クッション体５とを含んでいる。第１〜第３クッション体３〜５は、長さ方向Ｌに沿ってこの順に並んでいる。すなわち、第１クッション体３は、第２クッション体４の長さ方向Ｌにおける一方側に配置され、第３クッション体５は、第２クッション体４の長さ方向Ｌにおける他方側に配置されている。
【００１２】
第１クッション体３は、長さ方向Ｌの寸法Ｌ１が６１ｃｍであり、幅方向Ｗの寸法Ｗ１が６９ｃｍである。第２クッション体４は、長さ方向Ｌの寸法Ｌ２が６３ｃｍであり、幅方向Ｗの寸法Ｗ２が７３ｃｍである。また、第３クッション体５は、長さ方向Ｌの寸法Ｌ３が６１ｃｍであり、幅方向Ｗの寸法Ｗ３が６９ｃｍである。
【００１３】
第１クッション体３および第３クッション体５は、長さ方向Ｌおよび幅方向Ｗの寸法が同一である。第２クッション体４は、第１クッション体３および第３クッション体５よりも長さ方向Ｌおよび幅方向Ｗの寸法が大きい。
【００１４】
フレーム６は、第２クッション体４の幅方向Ｗにおける両側端部の下面をそれぞれ支持する一対の第２フレーム８を含んでいる。各第２フレーム８は、長さ方向Ｌに平行な２本の横フレームと高さ方向Ｈに平行な２本の縦フレームとからなり、側面視においてロの字状を有する。一対の第２フレーム８は、幅方向Ｗに平行な２本の第４フレーム１０によって相互に接続されている。
【００１５】
各第２フレーム８は、長さ方向Ｌの寸法が６３ｃｍ（＝Ｌ２）であり、高さ方向Ｈの寸法Ｈ８が３２ｃｍである。また、各第４フレーム１０は、幅方向Ｗの寸法Ｗ１０が６９ｃｍである。すなわち、一対の第２フレーム８の幅方向Ｗにおける離間距離は、６９ｃｍである。
【００１６】
第２クッション体４の下面および一対の第２フレーム８で囲まれた空間は、収容空間１４である。収容空間１４は、幅方向Ｗの寸法が６９ｃｍ（＝Ｗ１０）であり、長さ方向Ｌの寸法が６３ｃｍ（＝Ｌ２）であり、高さ方向Ｈの寸法が３２ｃｍ（＝Ｈ８）である。
【００１７】
第２クッション体４の幅方向Ｗにおける両側端部のうちの一方は、蝶番１３を介して一方の第２フレーム８の横フレームに取り付けられている。蝶番１３は、長さ方向Ｌに平行な回転軸Ｒ２を有する（図３参照）。なお、第２クッション体４は、他方の第２フレーム８には取り付けられていない。他方の第２フレーム８は、第２クッション体４を支持するのみである。
【００１８】
フレーム６は、第１クッション体３の少なくとも幅方向Ｗにおける両側端部の下面に固定された第１フレーム７も含んでいる。図２（Ａ）に示すように、第１フレーム７は、平面視においてコの字状を有し、第１クッション体３の長さ方向Ｌにおける両側端部のうち、第２クッション体４から遠い方の側端部の下面にも固定されている。
【００１９】
第１フレーム７は、幅方向Ｗの寸法が６９ｃｍ（＝Ｗ１）である。すなわち、第１フレーム７の幅方向Ｗの寸法（Ｗ１）は、一対の第２フレーム８の幅方向Ｗにおける離間距離（Ｗ１０）に等しい。寸法Ｗ１は、寸法Ｗ１０より小さくても良い。
【００２０】
第１フレーム７は、一対の第２フレーム８の間に向かって延びた第１延長部７ａを有する。第１フレーム７は、この第１延長部７ａにおいて一対の第２フレーム８のそれぞれに回動可能に取り付けられている。これにより、第１フレーム７は、第２フレーム８に対する、幅方向Ｗに平行な回転軸Ｒ１まわりの回動が可能となっている（図４（Ｂ）参照）。
【００２１】
フレーム６は、第３クッション体５の少なくとも幅方向Ｗにおける両側端部の下面に固定された第３フレーム９も含んでいる。図２（Ａ）に示すように、第３フレーム９は、平面視においてコの字状を有し、第３クッション体５の長さ方向Ｌにおける両側端部のうち、第２クッション体４から遠い方の側端部の下面にも固定されている。
【００２２】
第３フレーム９は、幅方向Ｗの寸法が６９ｃｍ（＝Ｗ３）である。すなわち、第３フレーム９の幅方向Ｗの寸法（Ｗ３）は、一対の第２フレーム８の幅方向Ｗにおける離間距離（Ｗ１０）に等しい。寸法Ｗ３は、寸法Ｗ１０より小さくても良い。また、寸法Ｗ３は、寸法Ｗ１と同一でなくても良い。
【００２３】
第３フレーム９は、一対の第２フレーム８の間に向かって延びた第３延長部９ａを有する。第３フレーム９は、この第３延長部９ａにおいて一対の第２フレーム８のそれぞれに回動可能に取り付けられている。これにより、第３フレーム９は、第２フレーム８に対する、幅方向Ｗに平行な回転軸Ｒ３まわりの回動が可能となっている（図４（Ａ）参照）。
【００２４】
フレーム６は、第１フレーム支持スタンド１１をさらに含んでいる。第１フレーム支持スタンド１１は、幅方向Ｗに平行な回転軸Ｒ１１まわりの回動が可能となるように、第１フレーム７に取り付けられている。第１フレーム支持スタンド１１は、第１フレーム７を支持する。
【００２５】
フレーム６は、第３フレーム支持スタンド１２をさらに含んでいる。第３フレーム支持スタンド１２は、幅方向Ｗに平行な回転軸Ｒ１２まわりの回動が可能となるように、第３フレーム９に取り付けられている。第３フレーム支持スタンド１２は、第３フレーム９を支持する。
【００２６】
第１クッション体３および第１フレーム７の高さ方向Ｈの合計寸法Ｈ１、および第３クッション体５および第３フレーム９の高さ方向Ｈの合計寸法Ｈ３は、いずれも１４ｃｍである。また、上記の通り、第２フレーム８の高さ方向Ｈの寸法Ｈ８は３２ｃｍである。すなわち、本実施例では、寸法Ｈ１、Ｈ３およびＨ８について、“Ｈ８＞Ｈ１＋Ｈ３”の関係が成立する。
【００２７】
［折り畳み式ベッドの折り畳み手順］
続いて、図３および図４を参照しながら、本実施例に係る折り畳み式ベッド１の折り畳み手順について説明する。なお、図３においては、第２クッション体４、第２フレーム８、第４フレーム１０および蝶番１３以外の構成部材が省略されている。また、図４（Ａ）〜（Ｃ）においては、第２クッション体４および蝶番１３が省略されている。
【００２８】
手順１：  蝶番１３による回転軸Ｒ２まわりに第２クッション体４を１８０°回動させる。これにより、第２クッション体４に覆われていた収容空間１４の上部が開口する。
【００２９】
手順２：  回転軸Ｒ１２まわりに第３フレーム支持スタンド１２を回動させることにより該第３フレーム支持スタンド１２を折り畳みながら、回転軸Ｒ３まわりに第３フレーム９を１８０°回動させる。これにより、第３フレーム９と、これに付随する第３クッション体５および第３フレーム支持スタンド１２が収容空間１４の下の方に収容される。
【００３０】
手順３：  回転軸Ｒ１１まわりに第１フレーム支持スタンド１１を回動させることにより該第１フレーム支持スタンド１１を折り畳みながら、回転軸Ｒ１まわりに第１フレーム７を１８０°回動させる。これにより、第１フレーム７と、これに付随する第１クッション体３および第１フレーム支持スタンド１１が収容空間１４の上の方に収容される。
【００３１】
上記の通り、第１クッション体３および第１フレーム７の高さ方向Ｈの合計寸法Ｈ１、第３クッション体５および第３フレーム９の高さ方向Ｈの合計寸法Ｈ３、および第２フレーム８の高さ方向Ｈの寸法Ｈ８には、“Ｈ８＞Ｈ１＋Ｈ３”の関係がある。したがって、第１フレーム７、第１クッション体３、第１フレーム支持スタンド１１、第３フレーム９、第３クッション体５および第３フレーム支持スタンド１２は、はみ出ることなく収容空間１４に収容され得る。
【００３２】
手順４：  手順１とは反対の方向に第２クッション体４を１８０°回動させる。これにより、第１クッション体３および第３クッション体５等を収容した収容空間１４が第２クッション体４によって覆われる。言い換えると、第２クッション体４によって収容空間１４に蓋がなされる。
【００３３】
上記手順１〜手順４により折り畳み式ベッド１の折り畳みは完了する。折り畳んだ状態の折り畳み式ベッド１は、ソファーとして有効に活用することができる。
【符号の説明】
【００３４】
１    折り畳み式ベッド
２    クッション体
３    第１クッション体
４    第２クッション体
５    第３クッション体
６    フレーム
７    第１フレーム
７ａ    第１延長部
８    第２フレーム
９    第３フレーム
９ａ    第３延長部
１０    第４フレーム
１１    第１フレーム支持スタンド
１２    第３フレーム支持スタンド
１３    蝶番
１４    収容空間
Ｒ１    回転軸
Ｒ２    回転軸
Ｒ３    回転軸
【図１】
0003202153.tif 000003
【図２】
0003202153.tif 000004
【図３】
0003202153.tif 000005
【図４】
0003202153.tif 000006